(57)【要約】      （修正有）【課題】労力をかけずに簡単便利に封止フィルムを保持容器から外すことができる密閉容器構造を提供する。【解決手段】密閉容器構造は保持容器１０、封止フィルム２０及び押し跡２３を含む。容器本体１１の周囲にフランジ部１２及び拡張部１３が設けられる。拡張部とフランジ部の境界に曲げ線１４１が形成される。封止フィルムはフランジ部及び拡張部の上面に貼り付けられ、フランジ部の表面に貼り付ける第１の部分２１と、拡張部の上面に貼り付ける第２の部分２２とを備え、押し跡は第１の部分の曲げ線に近接する位置に設けられ、押し跡の中央に先端部を有し、先端部は第１の部分から第２の部分に向かって伸びて、曲げ線に突出する。拡張部と封止フィルムを曲げ線で曲げるとき、集中応力を生じ、先端部及び押し跡の位置の封止フィルムに局部的な剥離を生じる。【選択図】図１
0003218168.tif 000002
【実用新案登録請求の範囲】
【請求項１】
保持容器及び封止フィルムを備える密閉容器構造であって、
前記保持容器は、一側に開口部を有する容器本体を備え、前記開口部の周囲にはフランジ部が設けられ、
前記フランジ部は、一端に拡張部が連接され、前記容器本体と対向する側面には第１の貼合面が形成され、
前記拡張部は、前記容器本体と対向する側面に前記第１の貼合面と面同一に形成した第２の貼合面が形成され、
前記拡張部と前記フランジ部との連接箇所にセクションカット溝が設けられ、前記拡張部と前記フランジ部との連接箇所における前記セクションカット溝の位置に、前記拡張部と前記フランジ部とが折り割れるための曲げ線が形成されることにより、前記拡張部と前記フランジ部とを互いに分離し、
前記封止フィルムには、前記第１の貼合面に張り付けて前記容器本体の前記開口部をカバーする第１の部分と、前記第２の貼合面に張り付ける第２の部分とを有し、かつ、前記封止フィルムの前記第２の部分と前記第１の部分とは互いに連接されており、
前記封止フィルムには押し跡が設けられ、前記押し跡は前記封止フィルムの前記第１の部分における前記曲げ線に近接する一端の一方の側辺から他方の側辺に延びるように構成され、かつ、前記押し跡における前記第１の部分の２つの側辺の端部は第１の端部及び第２の端部と定義され、
前記押し跡は前記第１の端部及び前記第２の端部の間に介在する先端部を備え、前記先端部は前記封止フィルムの前記第１の部分から前記第２の部分の方向に伸びて、前記曲げ線に突出する、密閉容器構造。
【請求項２】
前記押し跡は前記封止フィルムにおける前記容器本体と対向する側面から前記容器本体に向かって凹むように前記封止フィルムの表面に配置される、請求項１に記載する密閉容器構造。
【請求項３】
前記保持容器は前記容器本体のフランジ部の中央から前記拡張部に貫通する中央軸線を備え、前記押し跡の前記先端部は前記中央軸線に位置される、請求項２に記載する密閉容器構造。
【請求項４】
前記押し跡における前記第１の端部から前記先端部にまで連接するセグメントは第１のセグメントと定義され、前記押し跡における前記第２の端部から前記先端部まで連接するセグメントは第２のセグメントと定義され、
前記押し跡における前記第１のセグメント及び前記第２のセグメントはそれぞれ前記中央軸線に関して対称となる、請求項３に記載する密閉容器構造。
【請求項５】
前記押し跡における前記第１のセグメント及び前記第２のセグメントはそれぞれ前記第１の端部及び前記第２の端部から前記中央軸線及び前記曲げ線の方向に向かって斜めに前記封止フィルムの表面に配置される、請求項４に記載する密閉容器構造。
【請求項６】
前記拡張部の前記第２の貼合面における前記曲げ線に近接する位置にくぼみ部を有し、前記くぼみ部は前記先端部が前記曲げ線に突出する部分の形状及び位置と対応している、請求項５に記載する密閉容器構造。
【請求項７】
前記先端部が前記第１のセグメントと前記第２のセグメントとは曲線セグメントで連接される、請求項６に記載する密閉容器構造。
【請求項８】
前記容器本体の内部に揮発性物質を収納するための収納空間が形成される、請求項１ないし７のいずれか１項に記載する密閉容器構造。
【請求項９】
前記容器本体内部に設けられ、前記揮発性物質と前記開口部との間に介在する通気性フィルムをさらに含む、ことを特徴とする、請求項８に記載する密閉容器構造。
【請求項１０】
ベース及びカバーを備える芳香性容器をさらに備え、
前記保持容器の前記容器本体は前記ベースに配置し、前記カバーは前記ベース及び前記カバーの上方を覆い、前記カバーに複数の通気口が配置され、
前記保持容器が前記芳香性容器の内部に配置されて、前記封止フィルムが外された後に、前記容器本体の前記開口部は前記カバーにおける複数の前記通気口と連通するようになる、請求項９に記載する密閉容器構造。
【考案の詳細な説明】
【技術分野】
【０００１】
本考案は密閉容器構造に関し、特に揮発性物質芳香剤、脱臭剤または殺虫剤などの保持容器に使用される密閉容器構造に関する。
【背景技術】
【０００２】
従来より、車用芳香剤、車用脱臭剤、室内芳香剤、室内脱臭剤、または殺虫剤などの製品は、通常、芳香剤、脱臭剤または殺虫剤などの揮発性物質を包装容器に保存する。前記包装容器は開口を備え、かつ、運送の便宜上、包装容器内に保存された揮発性物質の揮発を避けるため前記開口に該開口を封止する封止フィルムを配置する。
【０００３】
従来の揮発性物質保持容器の封止フィルムには、容器の開口に貼り付ける方式を採用されていることが多く、使用者が前記揮発性物質を使用する場合、まず封止フィルムを保持容器の開口から外してから、容器に保存された揮発性物質を空気に揮発させることができるようになる。
【０００４】
従来の揮発性物質保存密閉容器構造は、通常、封止フィルムに前記保持容器と貼り合わされないコーナーを残して、前記封止フィルムにおける保持容器と貼り合わされない部分と保持容器の粘着面とを分離された状況を保持する。これにより、使用者が封止フィルムを保持容器から外す手順を行う場合、まず、指で封止フィルムにおける貼り合わされない部分を持ち上げてから、指で封止フィルムにおける貼り合わされない部分を掴み、さらに封止フィルム全体を保持容器の開口から外す。
【０００５】
しかしながら、従来の揮発性物質保持容器は物質の漏洩を防ぐために、保持容器の開口の粘着面に貼り合わさない小さいコーナーを１つのみ、封止フィルムに設けている。そのため、操作者にとって封止フィルムにおける未粘着の部分を見つかることは時間がかかり、また、通常に該封止フィルムと容器の開口の粘着面との粘着はかなり密接にされている上に、封止フィルムの表面は、通常は滑らかに形成されているため、操作者が指で封止フィルムの未貼合の部分を掴んで封止フィルムを持ち上げる時には労力がかかる。また、指は滑りやすいため、封止フィルムが上手く取り外せないこともある。
【考案の概要】
【考案が解決しようとする課題】
【０００６】
本考案は、使用者が従来の揮発性物質保持容器の封止フィルムを取り外すときに操作が困難で労力がかかるという課題を解決することを目的とする。
【課題を解決するための手段】
【０００７】
本考案は密閉容器構造を提供する。前記密閉容器構造は保持容器及び封止フィルムを備える。前記保持容器は容器本体を備えて、前記容器本体の一方側に開口部が備えられており、前記開口部の周囲にフランジ部が設けられ、前記フランジ部の一端に拡張部が連接されている。前記フランジ部における前記容器本体と対応する側面に第１の貼合面が形成され、前記拡張部における前記容器本体と対応する側面に第２の貼合面が形成されている。前記第１の貼合面と前記第２の貼合面は面同一に形成されている。また、前記拡張部と前記フランジ部との連接箇所にセクションカット溝が設けられ、前記拡張部と前記フランジ部との連接箇所における前記セクションカット溝の位置に曲げ線が形成されることにより、前記拡張部と前記フランジ部を互いに離れるように前記拡張部と前記フランジ部を前記曲げ線の位置で折り割ることができる。また、前記封止フィルムには第１の部分及び第２の部分を備える。中でも、前記第１の部分は前記容器本体の前記開口部を覆うように前記第１の貼合面に張り付けられて、前記第２の部分は前記第２の貼合面に張り付けられて、かつ前記封止フィルムの前記第２の部分は前記第１の部分と互いに連接されている。前記封止フィルムに押し跡が設けられ、前記押し跡は前記封止フィルムにおける前記第１の部分に近接する前記曲げ線の一端の一方の側辺から他方の側辺にわたって伸びており、かつ、前記押し跡における前記第１の部分の両側辺の端部を第１の端部と第２の端部とする。前記押し跡には先端部が備えられており、前記先端部は前記第１の端部及び前記第２の端部の間に設けられると共に、前記先端部は前記封止フィルムの前記第１の部分から前記第２の部分に向かって伸びて、前記曲げ線に突出する。
【０００８】
本考案の好ましい実施形態として、前記押し跡は前記封止フィルムにおける前記容器本体に対向する側面から前記容器本体に向かって凹むように前記封止フィルムの表面に配置される。
【０００９】
本考案の好ましい実施形態として、前記保持容器は前記容器本体のフランジ部の中央から前記拡張部に貫通する中央軸線を備え、前記押し跡の前記先端部は前記中央軸線に位置される。
【００１０】
本考案の好ましい実施形態として、前記押し跡における前記第１の端部から前記先端部にまで連接するセグメントは第１のセグメントと定義され、前記押し跡における前記第２の端部から前記先端部まで連接するセグメントは第２のセグメントと定義される。前記押し跡における前記第１のセグメント及び前記第２のセグメントはそれぞれ前記中央軸線に関して対称となる。
【００１１】
本考案の好ましい実施形態として、前記押し跡における前記第１のセグメント及び前記第２のセグメントはそれぞれ前記第１の端部及び前記第２の端部から共に前記中央軸線及び前記曲げ線の方向に向かって斜めに前記封止フィルムの表面に配置される。
【００１２】
本考案の好ましい実施形態として、前記拡張部の前記第２の貼合面における前記曲げ線に近接する位置にくぼみ部を有し、前記くぼみ部は前記先端部が前記曲げ線に突出する部分の形状及び位置と対応している。
【００１３】
本考案の好ましい実施形態として、前記先端部が前記第１のセグメントと前記第２のセグメントとは曲線セグメントで連接される。
【００１４】
本考案の好ましい実施形態として、前記容器本体の内部に揮発性物質を収納するための収納空間が形成される。
【００１５】
本考案の好ましい実施形態として、芳香性容器をさらに備え、前記芳香性容器にベース及びカバーを備え、前記保持容器の前記容器本体は前記ベースに配置することができる。かつ、前記カバーは前記ベース及び前記カバーの上方を覆う。前記カバーに複数の通気口が配置され、前記保持容器が前記芳香性容器の内部に配置されて、かつ、前記封止フィルムが外された後に、前記容器本体の前記開口部は前記カバーにおける複数の前記通気口と連通するようになる。
【図面の簡単な説明】
【００１６】
【図１】本考案密閉容器構造を示す組み合わせ斜視図である。
【図２】本考案密閉容器構造を示す分解斜視図である。
【図３】本考案密閉容器構造を示す上面図である。
【図４】本考案密閉容器構造を示す組み合わせ断面図である。
【図５】本考案密閉容器構造において保持容器の拡張部が折り曲がった状態を示す斜視図である。
【図６】本考案密閉容器構造において保持容器の拡張部が折り曲がった状態を示す組み合わせ断面図である。
【図７】図６におけるＶＩＩで表示された部分を示す部分拡大断面図である。
【図８】本考案密閉容器構造において封止フィルムがフランジ部から外された状態を示す組み合わせ断面図である。
【図９】本考案密閉容器構造が芳香性容器と組み合わせて使用する具体的な実施形態を示す分解斜視図である。
【図１０】本考案密閉容器構造が芳香性容器と組み合わせて使用する具体的な実施形態を示す組み合わせ斜視図である。
【図１１】本考案密閉容器構造が変化された実施形態を示す斜視図である。
【図１２】本考案密閉容器構造が変化された実施形態を示す斜視図である。
【考案を実施するための形態】
【００１７】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１８】
図１及び図２に示すように、本考案は密閉容器構造１を提出する。密閉容器構造１は保持容器１０及び封止フィルム２０を含む。前記実施形態における保持容器１０は例えば、プラスチック材料の射出成形で形成されるものである。保持容器１０は容器本体１１を備える。容器本体１１の底部は閉じられ、かつ内部に揮発性物質３０を収納するための収納空間が形成されている。容器本体１１内部に配置された揮発性物質３０が開口部１５から外部空気を接触できるように、容器本体１１における底部と対向する側辺に開口部１５が備えられている。前記揮発性物質３０は固体、液体またはゲル状態のいずれに形成してもよい。かつ、揮発性物質３０は芳香剤、脱臭剤、殺虫剤、抗モールド剤などの揮発性物質のいずれであってもよい。揮発性物質３０が容器本体１１内に収納されたとき、封止フィルム２０により容器本体１１の開口部１５をシールして、揮発性物質３０が空気に揮発することを防ぐことができる。
【００１９】
容器本体１１の内部には通気性フィルム２４が配置され、図４に示すように、前記通気性フィルム２４が容器本体１１の内部に配置され、かつ通気性フィルム２４が揮発性物質３０と開口部１５との間に介在する。通気性フィルム２４は通気性のある材料、例えば、不織布、密な孔が配置された高分子又は金属膜材料を採用することにより、空気、及び揮発性物質が放出した粒子が前記通気性フィルム２４を通過することを許容する。
【００２０】
容器本体１１において、開口部１５の周囲にフランジ部１２が配置される。前記フランジ部１２は容器本体１１の開口部１５にある側面から容器本体１１の側面から離れる方向に向かって延びるように構成される。かつ、フランジ部１２の一方側にさらに拡張部１３が連接されている。該実施形態において、拡張部１３は幅がフランジ部１２よりも小さく形成される略直方体形状をした縦長体であり、それにより拡張部１３はフランジ部１２の一方側に連接するグリップとなる。フランジ部１２における容器本体１１と対向する側面に第１の貼合面１２１が形成され、かつ、拡張部１３における容器本体１１と対向する側面に第２の貼合面１３１が形成されている。前記第１の貼合面１２１と前記第２の貼合面１３１とは面同一に形成されている。
【００２１】
図２及び図５に示すように、保持容器１０において、拡張部１３とフランジ部１２と連接する位置にセクションカット溝１４が設けられ、前記セクションカット溝１４は直線形状に形成されると共に、拡張部１３とフランジ部１２との連接箇所の一方側辺から他方側辺にわたって延びるように形成される。図４に示すように、前記セクションカット溝１４は拡張部１３とフランジ部１２との連接箇所に、前記封止フィルム２０と対向する側面に設けられる。また、前記セクションカット溝１４は、前記拡張部１３とフランジ部１２との連接箇所における材料を完全に切断することなく、拡張部１３とフランジ部１２とを互いに連接する状態にして、拡張部１３とフランジ部１２とがセクションカット溝１４の位置に材料の厚さを減らすことにより、使用者は拡張部１３とフランジ部１２とをセクションカット溝１４の位置で容易に折り割ることができる。それにより、拡張部１３と、フランジ部１２と、封止フィルム２０とが前記セクションカット溝１４に対応する位置に曲げ線１４１を形成する。
【００２２】
前記封止フィルム２０が前記保持容器１０における第１の貼合面１２１及び第２の貼合面１３１に貼り付けられている。本実施形態において、封止フィルム２０は高分子膜材料で形成され、封止フィルム２０は保持容器１０のフランジ部１２及び拡張部１３の形状と対応するように第１の部分２１及び第２の部分２２に形成される。中でも、第１の部分２１の輪郭形状はフランジ部１２の輪郭形状と互いに合わせると共に、容器本体１１の開口部１５を覆うように第１の貼合面に貼り付けることができる。そのため、封止フィルム２０の第１の部分２１が第１の貼合面１２１に貼り付けたとき、容器本体１１の開口部１５を密封することができる。それにより、容器本体１１内に配置された揮発性物質が外部空気を接触して開口部１５から揮発損失することを防ぐことができる。
【００２３】
封止フィルム２０第２の部分２２は形状が拡張部１３と対応するように形成されて、第２の貼合面１３１に貼り付けられる。図５に示しように、封止フィルム２０が拡張部１３とフランジ部１２の表面に貼り付けているため、操作者が拡張部１３を前記曲げ線１４１の位置から上向きに折り上げる場合、封止フィルム２０の第１の部分２１と第２の部分２２とを前記曲げ線１４１を折り線として曲げるように連れて移動させる。また、封止フィルム２０の第２の部分２２と第１の部分２１とは一体となっているため、操作者が拡張部１３を折り割った後、さらに封止フィルム２０の第１の部分２１を第１の貼合面１２１から外して（図８に示すように）、容器本体１１の開口部１５を開け状態にするように、封止フィルム２０の第２の部分２２を容器本体１１から離れる方向に向かって引っ張ることができる。
【００２４】
操作者が労力を節約できるように便利に封止フィルム２０を保持容器１０から外し得る目的を果たすために、本考案は封止フィルム２０に押し跡２３を配置する。図３に示すように、前記押し跡２３は加圧又は加熱の方式を介して封止フィルム２０の表面に形成された凹みであり、かつ、押し跡２３の凹む方向は封止フィルム２０における容器本体１１と対向する側面から容器本体１１の方向に向かって凹むように封止フィルム２０の表面に配置される。
図２及び図３に示すように、前記保持容器１０は容器本体１１のフランジ部１２の中央位置から拡張部１３のテールエンドの中央位置にわたって貫通する中央軸線Ｃを有する。前記押し跡２３の配置位置は封止フィルム２０の第１の部分２１における曲げ線１４１と近接する位置である。かつ、前記押し跡２３は、封止フィルム２０の第１の部分２１における曲げ線１４１と近接する位置の一方の側辺から他方の側辺にわたって形成されると共に、押し跡２３は中央における前記中央軸線Ｃと対応する位置で前記封止フィルム２０の第２の部分２２の方向に向かって曲げるように、先端部２３１が形成される。前記先端部２３１は封止フィルム２０の第１の部分２１から第２の部分２２に向かって伸びており、前記曲げ線１４１に突出されている。
【００２５】
図３に示すように、前記押し跡２３における封止フィルム２０の第１の部分２１に位置される側辺の２つの端点をそれぞれ第１の端部２３２及び第２の端部２３３とすると、前記先端部２３１の位置は第１の端部２３２及び第２の端部２３３の間に位置されると共に、中央軸線Ｃと整列している。前記押し跡２３における第１の端部から前記先端部２３１まで連接するセグメントは第１のセグメント２３ａとし、前記押し跡２３における前記第２の端部から前記先端部２３１まで連接するセグメントは第２のセグメント２３ｂとする。押し跡２３の第１のセグメント２３ａと第２のセグメント２３ｂとはそれぞれ前記中央軸線に関して対称となる。
【００２６】
前記先端部２３１は第１のセグメント２３ａと第２のセグメント２３ｂとの間に連接されており、かつ先端部２３１と、第１のセグメント２３ａと、第２のセグメント２３ｂとの連接の部分は曲線のセグメントに形成される。また、前記押し跡２３の第１のセグメント２３ａ及び第２のセグメント２３ｂは、それぞれ前記第１の端部２３２及び前記第２の端部２３３から共に、前記中央軸線Ｃ及び前記曲げ線１４１の方向に向かって傾斜に前記封止フィルムの表面に設けられるため、押し跡２３の前端が封止フィルム２０の第２の部分２２に向かうようにＶ形セグメントに形成される。
【００２７】
また、図２に示すように、前記拡張部１３の第２の貼合面１３１における曲げ線１４１に近接する位置にくぼみ部１３２が設けられ、前記くぼみ部１３２は押し跡２３の先端部２３１が前記曲げ線１４１に突出する部分の形状及び位置と対応付けるように形成されている。前記くぼみ部１３２を介して、先端部２３１の近傍にある封止フィルム２０と拡張部１３と粘着力をさらに高めることができる。
【００２８】
図５及び図６に示すように、使用者が封止フィルム２０を保持容器１０から外す時、まずは指で容器本体１１の拡張部１３を引いて、拡張部１３を容器本体１１から離れる方向へ曲げる。このとき、拡張部１３とフランジ部１２とはセクションカット溝１４に曲げられて壊されるようになり、かつ、封止フィルム２０の第１の部分２１と第２の部分２２は曲げ線１４１の位置で曲げられる。
【００２９】
図７に示すように、拡張部１３と封止フィルム２０の第２の部分２２とが、セクションカット溝１４及び曲げ線１４１の位置で曲げが生じたとき、封止フィルム２０の第２の部分２２と第１の部分２１とを曲げ線１４１の位置で曲げるように連動させる。同時に、押し跡２３の先端部２３１は共に曲げられて変形される。封止フィルム２０が押し跡２３の位置にあるところは窪んでいるため、押し跡２３の位置の封止フィルム２０が曲がって変形されたとき、押し跡２３の位置に応力集中の状況が生じる。そして、図３及び図７に示すように、本考案において、前記押し跡２３の先端部２３１曲げ線１４１を横切っていくため、拡張部１３及び封止フィルム２０の第２の部分２２が曲げ線１４１の位置で曲げ変形が生じた時に、押し跡２３の先端部２３１に応力集中を与えるようになり、それにより、先端部２３１の位置の封止フィルム２０が部分的に第２の貼合面１３１及び第２の貼合面１３１と外れるようになる。
【００３０】
図８に示すように、使用者が続けて封止フィルム２０の第２の部分２２を曲げ線１４１から離れる方向に引いて、封止フィルム２０の第１の部分２１を連れて移動させてフランジ部１２の第１の貼合面１２１から外れるようにする。その過程において、押し跡２３の先端部２３１の封止フィルム２０はすでに部分的に外れているため、封止フィルム２０が引張力により外れる過程には、封止フィルム２０における先端部２３１からの部分は局部的に外れているため、封止フィルム２０における剥離範囲が先端部２３１の局部的な剥離位置からを続けて拡大することになる。それにより、封止フィルム２０が容易に外すことができる。
【００３１】
また、封止フィルム２０の第１の部分２１が曲げ線１４１と反対する方向に引き続けられる場合、封止フィルム２０と第１の貼合面１２１との剥離部分は曲げ線１４１と反対する方向に向かって拡大を続けるようになる。図３に示すように、本考案の押し跡２３における第１のセグメント２３ａ及び第２のセグメント２３ｂは逆Ｖ字形で封止フィルム２０の第１の部分２１に配列して配置されている。そのために、封止フィルム２０の第１の部分２１が外される過程において、押し跡２３には同じように応力集中を生じ、かつ封止フィルム２０における先端部２３１の局部的な剥離部分も押し跡２３における第１のセグメント２３ａ及び第２のセグメント２３ｂに沿って、第１の端部２３２及び第２の端部２３３へ、徐々に延びていく。
【００３２】
そのため、本考案は押し跡２３により応力集中効果を生じ、封止フィルム２０が外れる過程において押し跡２３の先端部２３１に封止フィルム２０の局部的な剥離現象を予め与える。これにより封止フィルム２０の完全な密着状態を局部的に破壊して、封止フィルム２０が容易に剥がせるようにする。また、押し跡２３の特殊な形状により封止フィルム２０の局部的な剥離部分を押し跡２３の中央にある先端部２３１から押し跡２３に沿って封止フィルム２０の両側辺へ徐々に延ばされることで封止フィルム２０の外される方向を正確に規制することができる。
【００３３】
ここで特別に説明するように、前記封止フィルム２０が容器本体１１に張り付けているとき、押し跡２３を境界としてもよい。図３に示すように、揮発性物質の漏れを防ぐために、押し跡２３の上方に位置される封止フィルム２０（すなわち、前記第１の部分２１）とフランジ部１２の表面とは完全に貼り合わせることが好ましい。なお、図３における押し跡２３の下方にある封止フィルム２０の辺縁は拡張部１３及びフランジ部１２の表面に貼り合わさないようになり、これにより、使用者はより便利的に封止フィルム２０を外すことができる。
【００３４】
図９及び図１０に示すように、本考案における密閉容器構造１がさらに芳香性容器４０と組み合わせて、室内芳香器または車用芳香器の具体的な実施形態に構成する。本実施形態において、芳香性容器４０はベース４１及びカバー４２を含む。ベース４１の内部は凹んでいる。ベース４１の内部の中央には位置決め部４３が備えられ、前記位置決め部４３の形状は容器本体１１が位置決め部４３に係合され固定されるように、容器本体１１の形状と互いに合致するように形成される。カバー４２はベース４１の上方にカバーして、保持容器１０をその下にカバーすることが好ましい。カバー４２には複数の通気口４４が設けられ、カバー４２が保持容器１０の上方にカバーするとき、かつ、使用者が封止フィルム２０を外れた後、保持容器１０における容器本体１１の内部に収納した揮発性物質３０は通気口４４に介して外部空気と接触し得る。それにより、揮発性物質３０が周りの空気に揮発拡散することができる。カバー４２の頂端にさらに前記芳香性容器４０を室内または車内空間に固定するためのクランプ部材４５を備えてもよい。
【００３５】
図９に示すように、本考案の保持容器１０をハウジング４１と合わせて使用する場合、使用者はまず保持容器１０の拡張部１３を折り割って、そして、拡張部１３及び封止フィルム２０の第２の部分がフランジ部１２及び封止フィルム２０の第１の部分２１の表面に貼り合わせる状態となるように、拡張部１３を封止フィルム２０の第２の部分２２と共に逆方向に折る。さらに、拡張部１３が逆方向に折られた保持容器１０を芳香性容器４０のベース４１に配置して、カバー４２をカバーする。この時、保持容器１０の拡張部１３及び封止フィルム２０の第２の部分２２は芳香性容器４０における一方の側面の切口から芳香性容器４０の外側に伸び出す。使用者は拡張部１３を芳香性容器４０から離れる方向へ引くことにより、封止フィルム２０を容器本体１１のフランジ部１２から外すことができる。それにより、容器本体１１内の揮発性物質３０がカバー４２の通気口４４から周りの空気に揮発することができる。
【００３６】
図１１及び図１２に示すように、それには本考案の技術構成で作成した他の形状の密閉容器構造の実施形態を示す。図１１に示した実施形態において、密閉容器は長楕円形に形成される容器本体１１を備え、かつ、容器本体１１の周囲にあるフランジ部１２及び封止フィルム２０も容器本体１１の形状と合わせて長楕円形に形成されている。図１２に示した実施形態のように、本実施形態における容器本体１１及び封止フィルム２０は何れも長楕円形に形成され、かつフランジ部１２の一側辺に連接される拡張部１３は短楕円形に形成される。
〔考案による有利な効果〕
【００３７】
上記を纏めて、本考案による有利な効果は主に下記のようである。
１.  本考案の密閉容器構造１は封止フィルム２０に押し跡２３が設けられるため、押し跡２３を介して応力集中効果を生じ、それにより、封止フィルム２０をより容易に外れ、かつ封止フィルム２０が外れる方向をより正確に規制することができる。
２.  使用者は本考案における密閉容器構造１を空けて使用する時、指で保持容器１０の拡張部１３を折り割れば、便利に指で拡張部１３を掴んで力を入れて、封止フィルム２０全体を容器本体１１の上面から外すことができる。従って、その操作が便利で、力の入れるもより容易である。
【００３８】
以上に開示される内容は本考案の好ましい実施可能な実施例に過ぎず、これにより本考案の実用新案登録請求の範囲を制限するものではない。本考案の明細書及び添付図面の内容に基づき為された等価の技術変形は、全て本考案の実用新案登録請求の範囲に含まれるものとする。
【符号の説明】
【００３９】
１          密閉容器構造    
１０        保持容器        
１１        容器本体        
１２        フランジ部          
１２１      第１の貼合面      
１３        拡張部          
１３１      第２の貼合面      
１３２      凹みくぼみ部          
１４        セクションカット溝      
１４１      曲げ線          
１５        開口部          
２０        封止フィルム          
２１        第１の部分        
２２        第２の部分        
２３        押し跡          
２３ａ      第１のセグメント        
２３ｂ      第２のセグメント        
２３１      先端部        
２３２      第１の端部        
２３３      第２の端部        
２４        通気性フィルム          
３０        揮発性物質        
４０        芳香性容器        
４１        ベース            
４２        カバー            
４３        位置決め部          
４４        通気口          
４５        クランプ部材        
Ｃ          中央軸線        
【図１】
0003218168.tif 000003
【図２】
0003218168.tif 000004
【図３】
0003218168.tif 000005
【図４】
0003218168.tif 000006
【図５】
0003218168.tif 000007
【図６】
0003218168.tif 000008
【図７】
0003218168.tif 000009
【図８】
0003218168.tif 000010
【図９】
0003218168.tif 000011
【図１０】
0003218168.tif 000012
【図１１】
0003218168.tif 000013
【図１２】
0003218168.tif 000014